(57)【要約】【課題】短い距離で、搬送される紙幣の姿勢の乱れを正し、かつ、紙幣を１枚ずつ繰り出すことができる紙幣整理装置を提供する。【解決手段】一端に紙幣が入る入口を、他端に紙幣が出る出口を有するとともに、その入口と出口の間に紙幣の幅よりも若干大きな幅と紙幣の長さよりも若干長い長さを有して数十枚の紙幣を水平状態又は下り傾斜状態に収容可能な紙幣受容体と、入口から紙幣受容体の中に送り込まれた紙幣をその幅方向一方側に寄せて部屋の幅方向一方側の紙幣搬送方向と平行な面に押し当てる幅寄せ機構と、紙幣受容体内の底面に載置されている紙幣を紙幣受容体の出口方向に送り出す送り出し手段と、紙幣受容体の出口に送り出された紙幣を１枚ずつ繰り出す１枚繰り出し機構とを備えた。【選択図】  図１
2014148394.tif 000002
【特許請求の範囲】
【請求項１】
一端に紙幣が入る入口を、他端に紙幣が出る出口を有するとともに、その入口と出口の間に紙幣の幅よりも若干大きな幅と紙幣の長さよりも若干長い長さを有して数十枚の紙幣を水平状態又は下り傾斜状態に収容可能な紙幣受容体と、入口から紙幣受容体の中に送り込まれた紙幣をその幅方向一方側に寄せて部屋の幅方向一方側の紙幣搬送方向と平行な面に押し当てる幅寄せ機構と、紙幣受容体内の底面に載置されている紙幣を紙幣受容体の出口方向に送り出す送り出し手段と、紙幣受容体の出口に送り出された紙幣を１枚ずつ繰り出す１枚繰り出し機構とを備えたことを特徴とする紙幣整理装置。
【請求項２】
請求項１に記載の紙幣整理装置において、紙幣受容体の入口は紙幣受容体の上部に設けられ、その入口に上流側から横の姿勢で送られる紙幣を導入する導入路の末端が結合され、紙幣受容体の出口に１枚繰り出し機構により繰り出される紙幣を金庫等の入口まで案内する導出路が結合されていることを特徴とする紙幣整理装置。
【請求項３】
請求項１又は２に記載の紙幣整理装置において、幅寄せ機構は、紙幣受容体の幅方向両側に備えられた側辺ガイド板であって、少なくとも、上流側よりも下流側が紙幣受容体の搬送方向中心線に接近するように傾斜された垂直壁と、その垂直壁の下端部から紙幣受容体の底面まで下り傾斜する傾斜ガイドと、垂直壁に紙幣受容体の内側に突出し、かつ、紙幣受容体の底面までの距離が上流側よりも下流側が小さくなるように傾斜されている誘導板とを備えた一方の側辺ガイド板と、少なくとも、紙幣受容体の搬送方向中心線と平行な垂直壁を備えた他方の側辺ガイド板と、紙幣受容体に収容された紙幣を紙幣受容体の底面方向に押下する紙幣押下手段とで構成されていることを特徴とする紙幣整理装置。
【請求項４】
請求項３に記載の紙幣整理装置において、紙幣押下手段は、紙幣受容体の上側に設けられた水平軸と、その水平軸に固着され、水平軸の軸線に対して直角方向に延びる弾性を有する羽根とからなる羽根車を有し、水平軸は羽根車に回転力を与える伝動系に結合されていて、羽根車が回転される際に羽根は紙幣受容体に収容されている紙幣を紙幣受容体の底面方向に押下するように構成されていることを特徴とする紙幣整理装置。
【請求項５】
請求項１、２、３又は４に記載の紙幣整理装置において、送り出し手段は、紙幣受容体の長手方向中間位置の下側に設けたローラと、紙幣受容体の出口付近の下側に設けた突起付回転体とを伝動ベルトで結合してなるものであることを特徴とする紙幣整理装置。
【請求項６】
請求項１、２、３、４又は５に記載の紙幣整理装置において、１枚繰り出し機構は、紙幣受容体の出口の下側に設けられ、紙幣受容体の出口に送り出された紙幣を紙幣受容体から繰り出す方向に回転されるフィードローラと、紙幣受容体の出口の上側にフィードローラとの間に微小隙間を持って設けられ、紙幣受容体の出口に送り出された紙幣を紙幣受容体内に戻す方向に回転されるリタードローラとから構成されていることを特徴とする紙幣整理装置。
【請求項７】
請求項６に記載の紙幣整理装置において、１枚繰り出し機構には、紙幣整理装置の動力源から回転力をフィードローラとリタードローラに与える伝動系に、回転力の接続・切断をするための断接手段を備えたことを特徴とする紙幣整理装置。
【請求項８】
請求項７に記載の紙幣整理装置において、断接手段は、金庫等の満杯検知信号により自動切断する電磁クラッチ又は係員により入力される信号により切断する電磁クラッチであることを特徴とする紙幣整理装置。
【発明の詳細な説明】
【技術分野】
【０００１】
本発明は、紙幣整理装置、さらに詳しくは、紙幣(小切手等を含む。以下同じ。)の搬送状態を整理する装置に関する。
【背景技術】
【０００２】
複数台の遊技機と台間遊技媒体貸出機が隣接して設置されている遊技島においては、遊技客が台間遊技媒体貸出機に挿入した紙幣を各台間遊技媒体貸出機から紙幣搬送路に取り込み、紙幣搬送装置を介して遊技島の端部まで搬送し、紙幣搬送路の終端から遊技島の端部に設置されている金庫に収納するように構成されている。
【０００３】
一般的には、台間遊技媒体貸出機および紙幣搬送装置の幅を可及的に薄くするため、台間遊技媒体貸出機では遊技者に紙幣を紙幣挿入口に縦の姿勢（短辺が垂直、長辺が水平の姿勢）で挿入させ、紙幣搬送装置はその挿入された紙幣をそのまま縦の姿勢で搬送している。
【０００４】
しかし、紙幣搬送路の終端まで搬送されてきた紙幣を縦の姿勢のまま金庫に水平方向に重ねて収納すると、金庫の奥行寸法が大きくなり、設置スペースの確保が困難となるので、紙幣を横の姿勢(短辺も長辺も水平の姿勢)で垂直方向に積み重ねて収納する縦積み型の金庫が使用されている。従って、紙幣搬送路の終端から排出される紙幣を縦の姿勢から横の姿勢に変換する姿勢変換装置が必要である。
【０００５】
小切手の白地用紙(小切手用紙)にプリンタにより所定の事項を印刷して小切手を発行する小切手印刷装置においても、小切手用紙を縦に整列させているマガジンから印刷部に搬送する際に、マガジンから送り出される小切手用紙を縦の姿勢から横の姿勢に変換するため姿勢変換装置を用いる場合がある。
【０００６】
遊技島に設置される紙幣搬送装置の紙幣搬送路からは、紙幣が常に正しい姿勢で１枚ずつ送り出されるとは限らず、姿勢が乱れた状態で、すなわち、紙幣の中心線が搬送方向と平行でない状態で送り出されたり、複数枚が重なった状態で送り出されたりする場合がある。紙幣搬送路から送り出される紙幣を直接に金庫に収容する場合も、また、紙幣搬送路から送り出される紙幣を姿勢変換装置により縦の姿勢から横の姿勢に変換した後に金庫に収容する場合も、紙幣の姿勢が乱れているとき、又は複数枚が重なっているときは、姿勢変換装置の中あるいは金庫の入口において、紙幣が円滑に進行せずにジャムする虞がある。したがって、姿勢が乱れている、又は複数枚が重なっている紙幣の搬送状態を正常化する紙幣整理装置が求められる。
【０００７】
紙幣を縦の姿勢で搬送する紙幣搬送装置においては、搬送中に紙幣をその自重により搬送路底辺に落下させることにより、姿勢の乱れを自動的に正すことが可能であるが、横の姿勢で搬送する間に姿勢の乱れを正すことは容易でない。また、従来技術を用いて、姿勢の乱れを正すほかに、重なった紙幣を１枚ずつ分離して繰り出すための機構を備えると、装置の構成が複雑化し、長大化する。(先行技術文献はとくになし)
【発明の概要】
【発明が解決しようとする課題】
【０００８】
本発明は、上記の点に鑑みてなされたものであり、短い距離で、搬送される紙幣の姿勢の乱れを正し、かつ、紙幣を１枚ずつ繰り出すことができる紙幣整理装置を提供することを目的とする。
【課題を解決するための手段】
【０００９】
上記目的を達成するため、本発明の紙幣整理装置は、一端に紙幣が入る入口を、他端に紙幣が出る出口を有するとともに、その入口と出口の間に紙幣の幅よりも若干大きな幅と紙幣の長さよりも若干長い長さを有して数十枚の紙幣を水平状態又は下り傾斜状態に収容可能な紙幣受容体と、入口から紙幣受容体の中に送り込まれた紙幣をその幅方向一方側に寄せて部屋の幅方向一方側の紙幣搬送方向と平行な面に押し当てる幅寄せ機構と、紙幣受容体内の底面に載置されている紙幣を紙幣受容体の出口方向に送り出す送り出し手段と、紙幣受容体の出口に送り出された紙幣を１枚ずつ繰り出す１枚繰り出し機構とを備えたことを特徴とする。
【００１０】
上記の構成により、紙幣の長さよりも若干長い距離の中で、紙幣受容体の入口から紙幣受容体の中に送り込まれる紙幣は、幅寄せ機構により姿勢の乱れが正され、送り出し手段により紙幣受容体の出口方向に送り出され、かつ、出口から１枚繰り出し機構により紙幣が１枚ずつ繰り出される。
【００１１】
紙幣受容体の入口は紙幣受容体の上部に設けられ、その入口に上流側から横の姿勢で送られる紙幣を導入する導入路の末端が結合され、紙幣受容体の出口に１枚繰り出し機構により繰り出される紙幣を金庫等の入口まで案内する導出路が結合されていることが好ましい。
【００１２】
上記の構成により、横の姿勢で送られる紙幣は送られる順序で紙幣受容体の中に上側から順次収容されるので、幅寄せおよび１枚繰り出しが円滑に行なわれ、金庫等の入口に円滑に導かれる。
【００１３】
幅寄せ機構は、紙幣受容体の幅方向両側に備えられた側辺ガイド板であって、少なくとも、上流側よりも下流側が紙幣受容体の搬送方向中心線に接近するように傾斜された垂直壁と、その垂直壁の下端部から紙幣受容体の底面まで下り傾斜する傾斜ガイドと、垂直壁に紙幣受容体の内側に突出し、かつ、紙幣受容体の底面までの距離が上流側よりも下流側が小さくなるように傾斜されている誘導板とを備えた一方の側辺ガイド板と、少なくとも、紙幣受容体の搬送方向中心線と平行な垂直壁を備えた他方の側辺ガイド板と、紙幣受容体に収容された紙幣を紙幣受容体の底面方向に押下する紙幣押下手段とで構成することができる。
この構成により、導入路から送り込まれる紙幣は一方の側辺ガイド板により他方の側辺ガイド板側に寄せられる。したがって、紙幣は、その長辺が搬送方向と平行になり、姿勢の乱れが正される。
【００１４】
紙幣押下手段は、紙幣受容体の上側に設けられた水平軸と、その水平軸に固着され、水平軸の軸線に対して直角方向に延びる弾性を有する羽根とからなる羽根車を有し、水平軸は羽根車に回転力を与える伝動系に結合されていて、羽根車が回転される際に羽根は紙幣受容体に収容されている紙幣を紙幣受容体の底面方向に押下するように構成することが好ましい。
【００１５】
送り出し手段は、紙幣受容体の長手方向中間位置の下側に設けた搬送ローラと、紙幣受容体の出口付近の下側に設けた突起付回転体とを伝動ベルト又は搬送ベルトで結合してなるものが好ましい。
突起付回転体により紙幣受容体に重なって収容された紙幣が振動を受けるので、分離効果が向上する。
【００１６】
１枚繰り出し機構は、紙幣受容体の出口の下側に設けられ、紙幣受容体の出口に送り出された紙幣を紙幣受容体から繰り出す方向に回転されるフィードローラと、紙幣受容体の出口の上側にフィードローラとの間に微小隙間を持って設けられ、紙幣受容体の出口に送り出された紙幣を紙幣受容体内に戻す方向に回転されるリタードローラとから構成することができる。この場合は、簡単な構成で、分離と繰り出しができる。
【００１７】
１枚繰り出し機構には、紙幣整理装置の動力源から回転力をフィードローラとリタードローラに与える伝動系に、回転力の接続・切断をするための断接手段を備えることが好ましい。
金庫等の交換を行う際は、断接手段により１枚繰り出し機構を一旦止めて、その間に紙幣受容体の入口から送り込まれる紙幣を紙幣受容体の中に保留し、金庫等の交換を終わった後、再び１枚繰り出し機構を稼働させて、紙幣を１枚ずつ繰り出すことが可能である。
これにより、紙幣整理装置の運転を中止することなく、金庫等の交換を行うことができる。
【００１８】
断接手段には、金庫等の満杯検知信号により自動切断する電磁クラッチ又は係員により入力される信号により切断する電磁クラッチを用いることができる。
【発明の効果】
【００１９】
本発明によれば、短い距離で、搬送される紙幣の姿勢の乱れを正し、かつ、紙幣を１枚ずつ繰り出すことができる紙幣整理装置を提供することができる。
【図面の簡単な説明】
【００２０】
【図１】本発明に係る紙幣整理装置の一実施の形態の構成例を示す断面図である。
【図２】図１の紙幣整理装置の動力伝達経路の一例を示す斜視図である。
【図３】本発明に係る紙幣整理装置を紙幣搬送装置から縦の姿勢で送られる紙幣を横の姿勢に変換して金庫に収納する場合に適用した一例を示す概念図である。
【図４】図３の紙幣整理装置の具体例の斜視図である。
【図５】図４の紙幣整理装置の平面図である。
【図６】図５の紙幣整理装置の右側面図である。
【図７】図４の紙幣整理装置の紙幣押下手段を抽出して示す斜視図である。
【図８】図７の紙幣押下手段の平面図である。
【図９】図８のＫ−Ｋ断面図である。
【図１０】図８の紙幣押下手段の右側面図である。
【図１１】図５の紙幣受容体の紙幣移動方向右側(図面上側)のガイド壁を示す図であり、（ａ）は平面図、(ｂ）は正面図、（ｃ）は右側面図、（ｄ）は左側面図、（ｅ）は背面図である。
【図１２】図５の紙幣受容体の紙幣移動方向左側(図面下側)のガイド壁を示す図であり、（ａ）は平面図、(ｂ）は正面図、（ｃ）は右側面図、（ｄ）は左側面図、（ｅ）は背面図である。
【発明を実施するための形態】
【００２１】
続いて、本発明の一実施の形態について図面を参照しながら説明する。
【００２２】
［基本的構成］
図１は、本発明に係る紙幣整理装置Ｘの一実施の形態の構成例を示す。紙幣整理装置Ｘは、導入路１００と、紙幣受容体２００と、紙幣押下手段３００と、送り出し手段４００と、１枚繰り出し手段５００と、導出路６００とを有している。
【００２３】
導入路１００は、紙幣整理装置Ｘの紙幣移動方向の上流側の一端において、一定の平行間隔を持って相対して固定されたガイド板１０１,１０２により形成されており、導入路１００の先端は図外の紙幣搬送装置の紙幣搬送路の末端に結合される。その導入路１００の後端は紙幣受容体２００の一端部(上流側端部)に形成されている入口２０１から紙幣受容体２００の上部の中に開口されている。また、導入路１００の途中には、この導入路１００に送られてくる紙幣Ｎを紙幣受容体２００内に送り込むための搬送ローラ１０３,１０４が設けられている。
【００２４】
紙幣受容体２００は、紙幣Ｎを数十枚、例えば５０枚程度収容可能な部屋２０２を有し、その部屋２０２の幅は紙幣の幅よりも若干大きく、長さは紙幣の長さよりも若干長い。そして、導入路１００の後端から紙幣受容体２００の部屋２０２に送り込まれた紙幣Ｎは、紙幣受容体２００の部屋２０２の底面に落下し、後続する紙幣は、先に落下した紙幣が存在するときはその上に落下するようになっている。
【００２５】
紙幣受容体２００には、導入路１００から導入される紙幣に姿勢の乱れがある場合に、その乱れを正すための幅寄せ機構が備えられている。その幅寄せ機構は、部屋２０２の幅方向一方側の壁を構成する傾斜壁２０６ｂと、部屋２０２の幅方向他方側の壁を構成する垂直壁２０６ａと、導入路１００の後端から紙幣受容体２００の中に送り込まれた紙幣Ｎを押下する紙幣押下手段３００とで構成されている。導入路１００の後端から紙幣受容体２００内に送り込まれる紙幣がスキューしている場合、すなわち、紙幣の長手方向中心線が送り出し手段４００による搬送方向と平行でない場合に、紙幣受容体２００に送り込まれた紙幣が紙幣押下手段３００により押下されると、その紙幣の一方の長辺は傾斜壁２０６ｂにより傾斜壁２０６ｂと反対側の垂直壁２０６ａの方向に寄せられ、紙幣の他方の長辺がその垂直壁２０６ａに当たるので、その紙幣の長手方向中心線が搬送方向と平行になる。すなわち、紙幣の姿勢が乱れている場合は、その姿勢が正される。
【００２６】
紙幣押下手段３００は、紙幣受容体２００の上側に、紙幣受容体２００に収容された紙幣を紙幣受容体２００の部屋２０２の底面に向けて軽く押下するように設けられている。紙幣押下手段３００は、導入路１００から紙幣受容体２００内への紙幣の進入を邪魔しないで紙幣を押下することができれば、その構造は特に制限されない。好ましくは、紙幣の押下と搬送を補助する機能を有する構成がよい。そのような一例として、図示の紙幣押下手段３００は、紙幣の搬送方向と直交する水平軸３０１に羽根３０２の一端を固着してなる羽根車３０３を取り付け、その水平軸３０１に図外の動力源からの回転力を与えるように構成されている。羽根３０２は、短冊状の合成樹脂シートで形成され、弾性を有するものであり、羽根車３０３が回転するときに、羽根３０２の先端が紙幣受容体２００の底面に接触する長さを有している。したがって、図１の羽根車３０３が時計方向に回転されるときは、紙幣受容体２００に収容されている紙幣Ｎを紙幣受容体２００の底面に向けて軽く押下するとともに、紙幣Ｎに紙幣受容体２００の他端部(下流側端部)に形成されている出口２０３方向(図１の左方向)の搬送力を加えることができる。
【００２７】
好ましい実施の形態においては、羽根車３０３は、紙幣に対して安定した搬送力を加えるため、水平軸３０１の長手方向に隔てた２か所に設けられている。また、羽根車３０３は、紙幣受容体２００の上流側と下流側の２か所に設けられ、２つの羽根車３０３を同期回転させるため、２つの水平軸３０１の間に伝動ベルト３０４が掛け回されている。
【００２８】
紙幣整理装置Ｘは、紙幣受容体２００の下側に紙幣受容体２００に収容されている紙幣Ｎを紙幣受容体２００の出口２０３方向に送り出す送り出し手段４００を有している。送り出し手段４００は、搬送ローラと搬送ベルトのいずれか、または両方で構成されても良い。図１に示された例は、紙幣受容体２００の長手方向中間位置と紙幣受容体２００の出口２０３付近の位置の下側に設けられたプーリ４０１，４０２に伝動ベルト又は搬送ベルト４０３を掛け回し、いずれか一方のプーリの軸に図１において反時計方向の回転力を与えることにより、搬送ベルト４０３の上側部分が紙幣受容体２００に収容されている紙幣のうち、最下位に存する紙幣を送り出すように構成されている。
【００２９】
また、好ましい実施の形態として、下流側のプーリ４０２と同じ軸に突起付回転体４０４が設けられている。突起付回転体４０４の突起は、突起付回転体４０４が回転するときに、紙幣受容体２００の底面から部屋２０２に間欠的に突出する。したがって、突起付回転体４０４の回転により紙幣受容体２００に収容されている紙幣Ｎに上下振動が与えられるので、重なっている紙幣の分離効果が高揚される。
【００３０】
紙幣受容体２００の部屋２０２の出口２０３付近の厚みは、搬送される紙幣の先端を紙幣受容体２００の出口２０３に円滑に誘導できるように、徐々に狭くされている。
【００３１】
紙幣受容体２００の出口２０３の直後に、１枚繰り出し手段５００が設けられている。１枚繰り出し手段５００は、出口２０３の外側直近の下側に設けられたフィードローラ５０１と、出口２０３の外側直近の上側に、フィードローラ５０１との間に紙幣１枚分の厚みよりも大きく、紙幣２枚分の厚みよりも小さい微小間隙をもって設けられたリタードローラ５０２とからなっている。
【００３２】
フィードローラ５０１は動力源の回転力を図１には図示が省略されている伝動手段を介して与えられて、図１において反時計方向、すなわち、紙幣受容体２００の出口２０３まで送り出された紙幣を外側に繰り出す方向に回転される。また、リタードローラ５０２は、動力源の回転力を図示が省略されている伝動手段を介して与えられて、図１においてフィードローラ５０１と同じく反時計方向、すなわち、紙幣受容体２００の出口２０３まで送り出された紙幣が２枚以上有るときは、上側の紙幣を紙幣受容体２００に戻す方向に回転される。これにより、紙幣受容体２００の出口２０３から複数枚の紙幣が送り出されようしても、最下位の１枚のみが出口２０３から繰り出されるようになっている。
【００３３】
１枚繰り出し手段５００の下流側には、１枚繰り出し手段５００により繰り出される紙幣を所定の方向に誘導して排出する導出路６００が設けられている。導出路６００は平行間隔を持って配設されたガイド板６０１,６０２により形成されている。導出路６００の先端はフィードローラ５０１とリタードローラ５０２のニップ部に向けて開口され、導出路６００の後端は金庫等Ｃの入口に向けて開口される。なお、図１の５０３は、フィードローラ５０１に圧接されて１枚繰り出し手段５００により繰り出される紙幣を金庫等Ｃの入口に向けて勢いづける補助ローラである。導出路６００が紙幣の長さよりも長い場合は、導出路６００の途中に他の搬送ローラを設けてもよい。
【００３４】
図２は、図１の紙幣整理装置Ｘの動力伝達系の一例を示す。Ｍは紙幣整理装置Ｘの全ての可動部の動力源であるモータであり、図示されていないフレームに取り付けられている。このモータＭが発生する回転力は、次に例示するのような歯車、プーリ、ベルトなどからなる伝動手段を介して、紙幣押下手段３００、送り出し手段４００、１枚繰り出し手段５００に伝達される。すなわち、伝動手段は、互いに噛み合っている歯車ｇ１,ｇ２、プーリｐ１,ｐ２、これらのプーリｐ１,ｐ２に掛け回されているベルトｂ１、共通軸ｓ１、プーリｐ３,ｐ４、これらのプーリｐ３,ｐ４に掛け回されているベルトｂ２、プーリｐ４と共通の軸ｓ２に固着されている歯車ｇ３と噛み合わされている歯車ｇ４、歯車ｇ４と噛み合わされている歯車ｇ５、歯車ｇ５と共通の軸ｓ３に固着されているプーリｐ５と軸ｓ４に固着されているプーリｐ６とに掛け回されているベルトｂ３を含む。なお、軸ｓ４は紙幣押下手段３００の水平軸３０１と同一物である。
【００３５】
また、伝動手段は、歯車ｇ４の軸ｓ５に固着されているプーリｐ７とプーリｐ８との間に掛け回されているベルトｂ４を有し、プーリｐ８の軸とプーリｐ９の軸は断接手段を構成する電磁クラッチＣＬを介して結合されている。さらに、伝動手段は、プーリｐ９と紙幣整理装置Ｘの下流側端部付近に設けられた軸ｓ７に固着されたプーリｐ１０とに掛け回されたベルトｂ５を有し、その軸ｓ７に固着されたもう一つのプーリｐ１１と紙幣整理装置Ｘの下流側端部に設けられたプーリｐ１２とにベルトｂ６が掛け回され、そのプーリｐ１２と同じ軸ｓ８に固着されたもう一つのプーリｐ１３と軸ｓ７の上方に設けられた軸ｓ９に固着されたプーリｐ１４に掛け回されたベルトｂ７を有する。そして、軸ｓ７に１枚繰り出し手段５００のフィードローラ５０１が取り付けられ、軸ｓ９に１枚繰り出し手段５００のリタードローラ５０２が取り付けられている。送り出し手段４００には、フィードローラ５０１の軸ｓ７に固着された他のプーリ(図示せず)と突起付回転体４０４の軸ｓ１０に固着されたプーリ(図示せず)とに掛け回されたベルト(図示せず)により動力が与えられる。つまり、送り出し手段４００と１枚繰り出し手段５００には、電磁クラッチＣＬの結合時には回転力が与えられるが、電磁クラッチＣＬの切断時には回転力が与えられない。これに反し、導入路１００の搬送ローラ１０３，１０４および紙幣押下手段３００には、紙幣整理装置Ｘに電源を入れると、常時、モータＭの回転力が与えられるようになっている。
【００３６】
[実施例]
図３は、紙幣搬送路Ａの末端から縦の姿勢で排出される紙幣Ｎを姿勢変換装置Ｂにより横の姿勢に変換した後に金庫Ｃに収納する場合に、収納前に紙幣の姿勢の乱れを正し、１枚ずつ収納するために本発明に係る紙幣整理装置Ｘを適用した一例を示す概念図である。紙幣搬送路Ａは、例えば、パチンコパーラーの遊技島の台間遊技媒体貸出機から縦の姿勢で取り込まれる紙幣Ｎを紙幣搬送装置の一部として遊技島の端部まで搬送するものである。
【００３７】
姿勢変換装置Ｂは、例えば、特開２０１２−６６９１６号公報に記載されているもの、すなわち、第１プーリと、その第１プーリから紙幣搬送路Ａによる紙幣搬送方向延長上に紙幣の長辺の長さとほぼ等しい距離を隔てた位置に設けられ、水平軸周りに回転される第２プーリと、第１プーリと第２プーリに掛け回され、第２プーリ側が９０度捻られている搬送ベルトと、第１プーリ付近から第２プーリ付近まで搬送ベルトの面に接近してその搬送ベルトに沿って湾曲している姿勢変換ガイド板とを有するものを使用することができる。したがって、詳細な説明は省略する。
【００３８】
[具体的構成]
図４は、図３の紙幣整理装置Ｘの具体例の斜視図である。
紙幣整理装置Ｘは、図４に示すように、基底板１と、基底板１の左右両側に固定した支持板２,３とからなるフレーム４を有し、支持板２,３の間に図１に示された紙幣受容体２００が設けられている。紙幣受容体２００は、支持板２,３に固定された上側ガイド板２０４と、上側ガイド板２０４の下側において支持板２,３の間に取付けられた底板２０５とで形成され、その間に一例として最大５０枚の紙幣を収容可能な部屋２０２を有している。
【００３９】
紙幣受容体２００には、導入路１００から導入される紙幣に姿勢の乱れがある場合(紙幣がスキューしている場合)に、その乱れを正すための幅寄せ機構が備えられている。幅寄せ機構は、底板２０５の左右両端部に結合された側辺ガイド板２０６，２０７と、後述される紙幣押下手段３００とで構成されている。
【００４０】
側辺ガイド板２０６，２０７は、導入路１００の後端から紙幣受容体２００内に送り込まれる紙幣がスキューしている場合、すなわち、紙幣の長手方向中心線が送り出し手段４００による搬送方向と平行でない場合に、その紙幣の長手方向中心線が搬送方向と平行になるように一方の側辺ガイド板２０６が紙幣を他方の側辺ガイド板２０７側に寄せて、紙幣の姿勢を正すものである。
【００４１】
さらに詳述すると、一方の側辺ガイド板２０６は、図１１に示すように、底板２０５の幅方向一方側の外側において起立する垂直壁２０６ａと、その垂直壁２０６ａの下端から底板２０５の側に斜め下方に傾斜する傾斜壁２０６ｂと、その傾斜壁２０６ｂの下端から底板２０５側に水平に延び、底板２０５の上面と共通な上面を有して、その上面が底板２０５の端部に連続にされている底壁２０６ｃと、垂直壁２０６ａの部屋２０２側の面に突出する案内壁２０６ｄとを一体に有する。側辺ガイド板２０６は、底壁２０６ｃの下面に突設された固着片２０６ｅを用いて支持板３に固定されている。
【００４２】
そして、垂直壁２０６ａは部屋２０２の上流側端部から長さ方向中間位置までは後述される送り出し手段４００による搬送方向と平行であるが、長さ方向中間位置から部屋２０２の下流側の端部までは部屋２０２の中心線に漸次近づくように形成されている。すなわち、垂直壁２０６ａは後半部分が部屋２０２の中心線側に寄っている。また、案内壁２０６ｄは、垂直壁２０６ａの長さ方向の略中間位置から後端部にかけて底壁２０６ｃまでの距離が上流側から下流側に向かって漸減するように傾斜されている。
【００４３】
他方の側辺ガイド板２０７は、図１２に示すように、底板２０５の幅方向他方側の外側において起立する垂直壁２０７ａと、その垂直壁２０６ａの下端から底板２０５の側に水平に延び、底板２０５の上面と共通な上面を有して、その上面が底板２０５の端部に連続されている底壁２０７ｂと、垂直壁２０６ａの部屋２０２側の面に水平に突出する案内壁２０７ｃとを一体に有する。側辺ガイド板２０７は、底壁２０７ｂの下面に突設された固着片２０７ｄを用いて他方の支持板３に固定される。そして、垂直壁２０７ａは送り出し手段４００による搬送方向と平行である。
【００４４】
こうして、部屋２０２の幅は、部屋２０２の上流側のほぼ半分においては紙幣の幅よりも若干広く、部屋２０２の下流側のほぼ半分においては紙幣の幅よりも若干広い状態から徐々に狭くなり、紙幣受容体２００の出口２０３付近、すなわち、部屋２０２の下流側端部付近においては紙幣の幅とほぼ等しい。
【００４５】
したがって、導入路１００の後端から紙幣受容体２００内に送り込まれる紙幣がスキューしている場合は、その紙幣の一方の長辺が側辺ガイド板２０６の垂直壁２０６ａに接近し、その紙幣が案内壁２０６ｄの先端に案内されて斜め下方に進行する。そのため、紙幣の長辺が側辺ガイド板２０６の傾斜壁２０６ｂに接触するので、紙幣は側辺ガイド板２０７の垂直壁２０７ａ側に寄せられ、紙幣は垂直壁２０７ａに接触させられる。すなわち、幅寄せをされる。垂直壁２０７ａは送り出し手段４００による搬送方向と平行であるので、紙幣はその側辺ガイド板２０７側の長辺が垂直壁２０７ａに接触したまま進行し、紙幣の中心線を搬送方向と一致させた状態で紙幣受容体２００の出口２０３に向かって送り出される。
【００４６】
紙幣押下手段３００は、上述した側辺ガイド板２０６，２０７による紙幣の幅寄せ作用を補助することが主たる機能である。図７−１０に示すように、紙幣押下手段３００は、２本の水平な軸３０５，３０６と、プーリ３０７，３０８と、搬送ベルト３０９と、羽根車３０３とを有する。そして、紙幣押下手段３００は、次のように取付けられている。すなわち、上側ガイド板２０４は、図７,８に示すように、左右両端部において起立する取付板２０４ａ,２０４ｂを有し、２本の軸３０５,３０６は、その取付板２０４ａ,２０４ｂの前部および後部を直角に貫通して回転可能に支持されている。前方の軸３０５は一方の取付板２０４ｂから外側に延長され、その軸３０５に伝動手段を介してモータＭの回転駆動力が与えられる。
【００４７】
また、２本の軸３０５,３０６の中央部分にはプーリ３０７，３０８が固着され、そのプーリ３０７，３０８に伝動ベルト３０９が巻回されている。軸３０５,３０６の伝動ベルト３０９の両側部分には、羽根車３０３が固着されている。つまり、羽根車３０３は紙幣に対して安定した作用をさせるため、前後に左右２個ずつ取り付けられている。羽根車３０３の羽根は、例えばポリプロピレン等の薄い合成樹脂板で短冊状に形成され、弾性を有するとともに、回転時に先端が紙幣受容体２００の部屋２０２の底面に軽く接触する長さを有している。
【００４８】
したがって、羽根車３０３が回転されると、紙幣受容体２００の中に送り込まれた紙幣があるときは、その紙幣が羽根車３０３の羽根により押下されるため、紙幣の先端は案内壁２０６ｄの下側に進入するように誘導され、また、紙幣の側辺ガイド板２０６側の長辺がその側辺ガイド板２０６の傾斜壁２０６ｂに案内されやすくなる。したがって、紙幣の幅寄せ効果が大きくなる。
【００４９】
伝動ベルト３０９に代えて搬送ベルトを用いる場合は、その搬送ベルト３０９の下面を上側ガイド板２０４の開口されている部分おいて紙幣受容体２００の部屋２０２に臨ませることにより、紙幣受容体２００に収容された紙幣がこの搬送ベルト３０９の下面に接触したときに、その紙幣に搬送力を与えることができる。
【００５０】
［作用］
以上の構成により、入口２０１から紙幣受容体２００に導入された紙幣Ｎは、紙幣受容体２００において、まず幅寄せ機構によりスキューを矯正された後、送り出し手段４００により紙幣受容体２００の出口２０３に向けて送り出される。そして、出口２０３に向けて送り出される紙幣が複数枚重なっている場合は１枚繰り出し手段５００により１枚ずつ分離された後、紙幣受容体２００の出口２０３から導出路６００に繰り出される。したがって、導出路６００を介して金庫等Ｃの開口に向けて搬送される紙幣Ｎは、正しい姿勢で金庫等Ｃの上面開口に落下されるから、ジャムすることなく金庫等に収容される。
【符号の説明】
【００５１】
Ａ      紙幣搬送装置の紙幣搬送路
Ｂ      姿勢変換装置
Ｃ      金庫等
Ｘ      紙幣整理装置
１００  導入路
１０３，１０４  搬送ローラ
２００    紙幣受容体
２０１    紙幣受容体の入口
２０２    紙幣受容体の部屋
２０３    紙幣受容体の出口
２０６    側辺ガイド板
２０６ａ    垂直壁
２０６ｂ    傾斜壁
２０６ｃ    底板
２０６ｄ    案内壁
２０７      側辺ガイド板
２０７ａ    垂直壁
３００      紙幣押下手段
３０３      羽根車
３０４      ベルト
３０５，３０６  水平軸
４００    送り出し手段
４０１,４０２  プーリ
４０３    搬送ベルト
４０４    突起付回転体
５００    １枚繰り出し手段
６００    導出路
【図１】
2014148394.tif 000003
【図２】
2014148394.tif 000004
【図３】
2014148394.tif 000005
【図４】
2014148394.tif 000006
【図５】
2014148394.tif 000007
【図６】
2014148394.tif 000008
【図７】
2014148394.tif 000009
【図８】
2014148394.tif 000010
【図９】
2014148394.tif 000011
【図１０】
2014148394.tif 000012
【図１１】
2014148394.tif 000013
【図１２】
2014148394.tif 000014